(57)【要約】      （修正有）【課題】市販のティッシュペーパーパックを収納したままティッシュペーパーが取り出せるウエットティッシュペーパー収納容器を提供する。【解決手段】ウエットティッシュ９や小物などが収納できる携帯用ポーチであって、ポーチの１面２に設けられたウエットティッシュペーパー取出用の開口部３と、１端がポーチに固定されポーチを持ち上げ可能なストラップ８と、ポーチの複数箇所に設けられ、ストラップ８の他端が結合できる留め金具と、を含む。ポーチの１面２に設けられたウエットティッシュペーパー取出用の開口部３と、ポーチの他面に設けられた小物取出用の切れ目と、１面と２面をなす表裏面の間にもうけられた仕切りと、１端がポーチに固定されポーチを持ち上げ可能なストラップ８と、ポーチの複数箇所に設けられ、ストラップ８の他端が結合できる留め金具と、を含む。【選択図】図７
0003190874.tif 000002
【実用新案登録請求の範囲】
【請求項１】
ウエットティッシュや小物などが収納できる携帯用ポーチであって、
ポーチの１面に設けられたウエットティッシュペーパー取出用の開口部と、
１端がポーチに固定されポーチを持ち上げ可能なストラップと、
ポーチの複数箇所に設けられ、ストラップの他端が結合できる留め金具と、
を含むことを特徴とするウエットティッシュペーパー収納容器。
【請求項２】
ウエットティッシュや小物などが収納できる携帯用ポーチであって、
ポーチの１面に設けられたウエットティッシュペーパー取出用の開口部と、
ポーチの他面に設けられた小物取出用の切れ目と、
１面と２面をなす表裏面の間にもうけられた仕切りと、
１端がポーチに固定されポーチを持ち上げ可能なストラップと、
ポーチの複数箇所に設けられ、ストラップの他端が結合できる留め金具と、
を含むことを特徴とするウエットティッシュペーパー収納容器。
【請求項３】
前記ポーチの内面は防水機能を有することを特徴とする請求項１または２に記載のウエットティッシュペーパー収納容器。
【考案の詳細な説明】
【技術分野】
【０００１】
本考案はウエットティッシュペーパー収納容器に係り、より詳しくは、収納容器に市販の濡れティッシュ容器を収納し、収納容器の１面から取り出せるようにしたウエットティッシュペーパー収納容器に関する。
【背景技術】
【０００２】
ウェットティッシュは、皮膚に付着した汚れを拭き取るためのものであって基材シートである不織布に、水（精製水）と、アルコール類及び多糖類、あるいはその他の添加剤を含浸させたものである。
主として赤ちゃんのお尻拭きに使用され、家の中で使用される他、外出時に持ち運ぶことが多いものであるが、お尻拭き以外に手や顔を拭いたり、テーブルを拭いたり、洋服にこぼれたものを拭き取ったり、と用途の広いものである。
ウェットティッシュは主としてプラスチック製の袋に収納されてパック状になっており、使用するときには表面のシールを剥がして取り出すが、パックそのものは、鞄や袋に入れて持ち運ぶため、使用時には鞄や袋から取り出し、表面のシールを剥がしてウェットティッシュ取り出す必要があった。
【先行技術文献】
【特許文献】
【０００３】
【特許文献１】特開２００２−３３７９５９号公報
【考案の概要】
【考案が解決しようとする課題】
【０００４】
本考案は、市販のティッシュペーパーパックを収納したウエットティッシュペーパー収納容器からティッシュペーパーパックを取出さないでそのままティッシュペーパーが取り出せるウエットティッシュペーパー収納容器の提供を目的とする。
【課題を解決するための手段】
【０００５】
本考案は、ウエットティッシュや小物などが収納できる携帯用ポーチであって、
ポーチの１面に設けられたウエットティッシュペーパー取出用の開口部と、
１端がポーチに固定されポーチを持ち上げ可能なストラップと、
ポーチの複数箇所に設けられ、ストラップの他端が結合できる留め金具と、
を含むことを特徴とする。
【０００６】
また、本考案は、ウエットティッシュや小物などが収納できる携帯用ポーチであって、ポーチの１面に設けられたウエットティッシュペーパー取出用の開口部と、ポーチの他面に設けられた小物取出用の切れ目と、１面と２面をなす表裏面の間にもうけられた仕切りと、１端がポーチに固定されポーチを持ち上げ可能なストラップと、ポーチの複数箇所に設けられ、ストラップの他端が結合できる留め金具と、を含むことを特徴とする。
【０００７】
前記ポーチの内面は防水機能を有することを特徴とする。
【考案の効果】
【０００８】
本考案によれば、ポーチの開口部からポーチに収納されたウエットティッシュペーパーを直接取り出すことが出来る。
また、１端がポーチ本体に固定されたストラップの他端をポーチに取り付けられた複数個の留め金具の何れかに取り付けてポーチ本体を縦向きまたは横向きでベビーカーや車のヘッドレストなどに引掛けることができる。
さらに、内部に仕切りがあるポーチでは、１面からウエットティッシュペーパーを直接取り出すことが出来るほか、他面の切れ目からはポケットティッシュペーパーやビニル袋などの小物を取り出すことが出来る。
その他、開口部３に蓋を取り付けた場合は、ポーチの内部の保湿性が維持できるほか、ゴミが入り難いと言うメリットもある。、
【図面の簡単な説明】
【０００９】
【図１】本考案のウエットティッシュペーパー収納容器の正面図である。
【図２】本考案のウエットティッシュペーパー収納容器の裏面図である。
【図３】本考案のウエットティッシュペーパー収納容器を上（ファスナーの方）から見た図である。
【図４】本考案のウエットティッシュペーパー収納容器の本体が横向きになるようにストラップを取り付けた状態を示す図である。
【図５】本考案のウエットティッシュペーパー収納容器の本体が縦向きになるようにストラップを取り付けた状態を示す図である。
【図６】本考案のウエットティッシュペーパー収納容器の図１のＡ−Ａ断面とウエットティッシュパック及びポケットティッシュが収納される状態を示す図である。
【図７】本考案のウエットティッシュペーパー収納容器のストラップを取り付けた状態の斜視図である。
【考案を実施するための形態】
【００１０】
以下図面を参照して本考案のウエットティッシュペーパー収納容器について詳細に説明する。
本考案のウエットティッシュペーパー収納容器のストラップを取り付けた状態の斜視図は、図７に示す通りである。また、図６は、図１に示す本考案のウエットティッシュペーパー収納容器のＡ−Ａ断面とウエットティッシュパック及びポケットティッシュが収納される状態を示す図である。
【００１１】
図１は、本考案のウエットティッシュペーパー収納容器の正面図である。本考案のウエットティッシュペーパー収納容器の実施例１は、図１に示す通りであり、布製または樹脂製で防水性を付与してもよい。幅は１５〜３０ｃｍ、高さが１０〜１５ｃｍ、厚さが５〜１５ｍｍである。
実施例１のウエットティッシュペーパー収納容器は、ポーチ１の表面２に設けられたウエットティッシュペーパー取出用の開口部３と、１端がポーチ１に固定されポーチ１を持ち上げることが出来るストラップ８と、ポーチの両側に設けられた留め金具７（図２）と、からなっている。
ポーチ１には赤ちゃんのお尻拭き用などのウエットティッシュを入れて持ち運ぶことが出来、ウエットティッシュペーパーが必要な場合は、直接ウエットティッシュペーパー取出用の開口部３からウエットティッシュのシールを外してウエットティッシュペーパーを取り出すことが出来る。
また、開口部に、気密機能を有する開閉蓋を設けてポーチ１の内側に補充用のウエットティッシュを直接収納し、開閉蓋を開けてウエットティッシュを取り出すようにすることもできる。
【００１２】
ポーチ１にはストラップ８が固定されており、その１端をポーチの両側に設けられた留め金具７の何れかに取り付けることでポーチの吊り下げ方向を変更することができる。
ポーチ１の頂部には、ファスナー６が取り付けられており、開閉できるようになっているが、これはポーチの頂部を封鎖するものであり、ボタンや金具などでもよい
【００１３】
本考案のウエットティッシュペーパー収納容器の実施例２も、サイズ及び素材は実施例１と同様であるが、以下に示す通り仕切り１２が有るため、厚さが２５ｍｍになることもありうる。
実施例２のウエットティッシュペーパー収納容器は、ポーチ１の１面２に設けられたウエットティッシュ取出用の開口部３と、ポーチの他面４に設けられた小物取出用の切れ目５と、１面と２面をなす表裏面の間にもうけられた仕切り１２と、１端がポーチ１に固定されポーチ１を持ち上げることが出来るストラップ８と、ポーチの両側に設けられた留め金具７と、からなっており、ポーチ１の１面２は図１に示す通りであるが、ポーチの他面４は図２に示す通りである。
実施例１と同様、ポーチ１には赤ちゃんのお尻拭き用のウエットティッシュパックを入れて持ち運ぶことが出来、必要な場合は、ウエットティッシュ取出用の開口部３からウエットティッシュパックのシールを外してウエットティッシュペーパーを取り出すことが出来る。
【００１４】
実施例２では、図６に示す通り、ポーチ１の内部に仕切り１２が設けられ、ポーチの他面４には切れ目が入れられて、内部にティッシュパックまたはポリ袋などの小物を収納して取り出せるようになっている。
ポーチの内面には防水機能をもたせて、濡れたものを収納できるようにすることも可能である。
ポーチ１を持ち上げることが出来るストラップ８と、ポーチの両側に設けられた留め金具７は、実施例１と同様の目的で取り付けられている。
図３は、本考案のウエットティッシュペーパー収納容器を上（ファスナーの方）から見た図であり、ポーチ１の頂部には、ファスナー６が取り付けられており、開閉できるようになっているが、これはポーチの頂部を封鎖するものであり、ボタンや金具などでもよく、また、開放状態にしてもよい。
【００１５】
図４は、本考案のウエットティッシュペーパー収納容器の本体が横向きになるようにストラップ８を取り付けた状態、図５は、本体が縦向きになるようにストラップ８を取り付けた状態を示す図であり、ベビーカーや車内等の適当なところに引っ掛けておくことが出来るようになっている。
ストラップ８は、何れの留め金具７にも付け替えでき、本体を横向き、縦向きに自由に付け替えることができる。
【００１６】
上記本考案のポーチでは、開口部からポーチに収納されたウエットティッシュペーパーを直接取り出すことが出来るほか、１端がポーチ本体に固定されたストラップの他端をポーチに取り付けられた複数個の留め金具の何れかに取り付けてポーチ本体を縦向きまたは横向きで引掛けることができる。
また、内部に仕切りがあるポーチでは、１面からウエットティッシュペーパーを直接取り出すことが出来るほか、他面の切れ目からはポケットティッシュペーパーやビニル袋などの小物を取り出すことが出来る。
また、内側に防水機能を持たせてある場合には、濡れたものを収納し、あるいは取り出すことが出来る。
【符号の説明】
【００１７】
１  ポーチ
２  １面（表面）
３  開口部
４  ２面（裏面）
５  切れ目
６  ファスナー
７  留め金具
８  ストラップ
９  ウエットティッシュ
１０  シール
１１  ポケットティッシュ
１２  仕切り
【図１】
0003190874.tif 000003
【図２】
0003190874.tif 000004
【図３】
0003190874.tif 000005
【図４】
0003190874.tif 000006
【図５】
0003190874.tif 000007
【図６】
0003190874.tif 000008
【図７】
0003190874.tif 000009